(57)【特許請求の範囲】
【請求項１】
ダイオキシン類に汚染された土壌又は／及び焼却炉で発生した飛灰をダイオキシン抽出用の有機溶媒と混合して有機溶媒にダイオキシン類を抽出させ、土壌又は／及び飛灰とダイオキシン類を含有する有機溶媒とを分離した後、分離した土壌又は／及び飛灰を加熱乾燥又は／及び減圧することにより土壌又は／及び飛灰から残留有機溶媒を除去し、分離したダイオキシン抽出後の有機溶媒を加熱又は／及び減圧により濃縮し、ダイオキシン類が濃縮された有機溶媒をダイオキシン分解用の極性有機溶媒中でアルカリと反応させてダイオキシン類を分解し、抽出に用いた有機溶媒と極性有機溶媒とを分離して抽出用有機溶媒を回収することを特徴とする土壌・飛灰中のダイオキシン類の除去方法。
【請求項２】
土壌又は／及び飛灰をダイオキシン抽出用の有機溶媒と混合して有機溶媒にダイオキシン類を抽出させ、土壌又は／及び飛灰とダイオキシン類を含有する有機溶媒とを分離する工程を少なくとも２回繰り返し、最終的に分離した土壌又は／及び飛灰を加熱乾燥又は／及び減圧することにより土壌又は／及び飛灰から残留有機溶媒を除去し、分離した抽出後の有機溶媒のうちダイオキシン類の含有量が高い有機溶媒を濃縮し、濃縮した有機溶媒をダイオキシン分解用の極性有機溶媒中でアルカリと反応させてダイオキシン類を分解する請求項１記載の土壌・飛灰中のダイオキシン類の除去方法。
【請求項３】
ダイオキシン抽出用の有機溶媒として、ベンゼン、トルエン、キシレン、エチルベンゼン、プロピルベンゼン、シクロヘキサン、メチルシクロヘキサン、ヘキサン、ヘプタン、オクタン及びモルホリンからなる群より選ばれる１種以上を用いる請求項１又は２記載の土壌・飛灰中のダイオキシン類の除去方法。
【請求項４】
ダイオキシン分解用の極性有機溶媒として、スルフォラン、ジメチルスルホキシド、１，３−ジメチル−２−イミダゾリジノン、テトラメチレンスルフォラン、ジメチルポリアルキレングリコール、テトラメチル尿素及びＮ−メチルピロリドンからなる群より選ばれる１種以上を用いる請求項１、２又は３記載の土壌・飛灰中のダイオキシン類の除去方法。
【請求項５】
分離した土壌又は／及び飛灰から残留有機溶媒を除去する手法が加熱乾燥であり、この加熱乾燥で発生する有機溶媒蒸気を用いて、汚染土壌又は／及び飛灰に混合する抽出用有機溶媒を加熱するとともに、有機溶媒蒸気を冷却し凝縮させる請求項１〜４のいずれかに記載の土壌・飛灰中のダイオキシン類の除去方法。
【請求項６】
ダイオキシン類に汚染された土壌又は／及び焼却炉で発生した飛灰をダイオキシン類を抽出するための有機溶媒と混合する混合攪拌手段と、土壌又は／及び飛灰とダイオキシン類を含有する有機溶媒とを分離する固液分離手段とを１段又は少なくとも２段直列又は並列に接続し、最終的に分離した土壌又は／及び飛灰を加熱又は／及び減圧することにより残留有機溶媒を除去して土壌又は／及び飛灰を乾燥させる乾燥手段を最終段の固液分離手段に接続してダイオキシン抽出系統を構成し、
固液分離手段で分離したダイオキシン抽出後の有機溶媒を加熱又は／及び減圧により濃縮する濃縮手段と、ダイオキシン類が濃縮された有機溶媒を投入してダイオキシン分解用の極性有機溶媒中でアルカリと反応させダイオキシン類を分解する反応手段と、抽出に用いた有機溶媒と極性有機溶媒とを分離して抽出用有機溶媒を回収する分離・回収手段とからなるダイオキシン無害化系統を構成したことを特徴とする土壌・飛灰中のダイオキシン類の除去装置。
【請求項７】
混合攪拌手段と固液分離手段とを少なくとも２段直列に接続し、直列に接続された複数段の混合攪拌手段における攪拌軸を同一軸とした請求項６記載の土壌・飛灰中のダイオキシン類の除去装置。
【請求項８】
土壌中又は／及び飛灰中に残留した有機溶媒を加熱により除去する乾燥手段からの有機溶媒蒸気が、汚染土壌又は／及び飛灰に混合する抽出用有機溶媒の供給系統に設けられた熱交換手段に導入されるようにして、抽出用有機溶媒が加熱されるとともに、有機溶媒蒸気が冷却され凝縮するようにした請求項６又は７記載の土壌・飛灰中のダイオキシン類の除去装置。
【発明の詳細な説明】
【０００１】
【発明の属する技術分野】
本発明は、ダイオキシン類に汚染された土壌や焼却炉で発生した飛灰等からダイオキシン類を除去する方法及び装置に関するものである。
【０００２】
【従来の技術】
一般的に、ダイオキシン類を分解する方法としては、熱分解法、超臨界分解法、化学的処理法等が挙げられる。これらの処理方法のうち、熱分解法と超臨界分解法は、高温又は高圧を必要とし、装置コスト及びランニングコストが高くなる傾向にある。一方、化学的処理方法のうち、ジメチルスルフォキシド、１，３−ジメチル−２−イミダゾリジノン等の極性有機溶媒中に水酸化ナトリウム等のアルカリを添加してダイオキシン類を分解する方法は、比較的低い温度で処理が可能であり、処理コストを抑えることが可能である。
【０００３】
また、特開平１１−５０９９号公報には、汚泥中のダイオキシン類をアセトン、アセトニトリル、ベンゼン、ＤＭＳＯ等の有機溶媒に抽出させ、ダイオキシン類を含んだ有機溶媒を分離濃縮、水洗、脱水操作によって汚泥から分離して、ダイオキシン類をほとんど含まない脱水汚泥を得るとともに、ダイオキシン類を含んだ有機溶媒をオゾン・紫外線処理してダイオキシン類を分解除去するという技術が開示されている。
【０００４】
【発明が解決しようとする課題】
しかし、極性有機溶媒中にアルカリを添加してダイオキシン類を分解する方法を用いても、処理対象物をそのまま極性有機溶媒中に投入し処理することは、大量の処理物を加熱する必要があり、コストの増大を招く。また、処理後の対象物に未反応アルカリや極性有機溶媒などが残り、除去のために水洗が必要となり、洗浄水の処理のための設備が必要となる。さらに、ダイオキシン類の極性有機溶媒への抽出が律速になり、処理時間が長くなる傾向にある。
【０００５】
本発明は上記の諸点に鑑みなされたもので、本発明の目的は、処理対象物である汚染土壌や焼却飛灰に、ダイオキシン類を抽出し易く、かつ沸点の低い有機溶媒を混合してダイオキシン類を抽出し、このダイオキシン類を含んだ有機溶媒を濃縮して極性有機溶媒とアルカリを含む反応容器に投入しダイオキシン類を分解することにより、処理対象物を直接極性有機溶媒に投入する場合と比較して、加熱などのランニングコストを大幅に抑えるとともに、処理後の土壌や飛灰への反応残渣や未反応アルカリの混入を防ぐことができ、かつ、ダイオキシン類の抽出が容易で処理時間が短くなり、土壌や飛灰からの有機溶媒の除去が容易で二次公害の発生が抑制でき、しかも、ダイオキシン類が濃縮されるので反応容器を小さくすることができる土壌・飛灰中のダイオキシン類の除去方法及び装置を提供することにある。
【０００６】
また、本発明の目的は、直列に接続された複数段の混合攪拌装置における攪拌軸を同一軸とすることにより、装置のコンパクト化を図ることができる土壌・飛灰中のダイオキシン類の除去装置を提供することにある。
また、本発明の目的は、土壌や飛灰を乾燥する際に発生する有機溶媒蒸気の有する潜熱を用いて、汚染土壌や飛灰に混合する抽出用有機溶媒を加熱することにより、有機溶媒によるダイオキシン類の抽出率を上げることができる土壌・飛灰中のダイオキシン類の除去方法及び装置を提供することにある。
【０００７】
【課題を解決するための手段】
上記の目的を達成するために、本発明の土壌・飛灰中のダイオキシン類の除去方法は、ダイオキシン類に汚染された土壌又は／及び焼却炉で発生した飛灰をダイオキシン抽出用の有機溶媒と混合して有機溶媒にダイオキシン類を抽出させ、土壌又は／及び飛灰とダイオキシン類を含有する有機溶媒とを分離した後、分離した土壌又は／及び飛灰を加熱乾燥又は／及び減圧することにより土壌又は／及び飛灰から残留有機溶媒を除去し、分離したダイオキシン抽出後の有機溶媒を加熱又は／及び減圧により濃縮し、ダイオキシン類が濃縮された有機溶媒をダイオキシン分解用の極性有機溶媒中でアルカリと反応させてダイオキシン類を分解し、抽出に用いた有機溶媒と極性有機溶媒とを分離して抽出用有機溶媒を回収するように構成されている（図１参照）。
【０００８】
上記の本発明の方法において、土壌又は／及び飛灰をダイオキシン抽出用の有機溶媒と混合して有機溶媒にダイオキシン類を抽出させ、土壌又は／及び飛灰とダイオキシン類を含有する有機溶媒とを分離する工程を少なくとも２回繰り返し、最終的に分離した土壌又は／及び飛灰を加熱乾燥又は／及び減圧することにより土壌又は／及び飛灰から残留有機溶媒を除去し、分離した抽出後の有機溶媒のうちダイオキシン類の含有量が高い有機溶媒を濃縮し、濃縮した有機溶媒をダイオキシン分解用の極性有機溶媒中でアルカリと反応させてダイオキシン類を分解することが好ましい（図１参照）。
【０００９】
これらの本発明の方法において、ダイオキシン抽出用の有機溶媒としては、ベンゼン、トルエン、キシレン、エチルベンゼン、プロピルベンゼン、シクロヘキサン、メチルシクロヘキサン、ヘキサン、ヘプタン、オクタン及びモルホリンからなる群より選ばれる１種以上を用いることができる。
また、これらの本発明の方法において、ダイオキシン分解用の極性有機溶媒としては、スルフォラン、ジメチルスルホキシド、１，３−ジメチル−２−イミダゾリジノン、テトラメチレンスルフォラン、ジメチルポリアルキレングリコール、テトラメチル尿素及びＮ−メチルピロリドンからなる群より選ばれる１種以上を用いることができる。
また、これらの本発明の方法において、土壌中又は／及び飛灰中に残留した有機溶媒を除去するための加熱乾燥で発生する有機溶媒蒸気を用いて、汚染土壌又は／及び飛灰に混合する抽出用有機溶媒を加熱するとともに、有機溶媒蒸気を冷却し凝縮させることが好ましい（図１、図２参照）。
【００１０】
本発明の土壌・飛灰中のダイオキシン類の除去装置は、ダイオキシン類に汚染された土壌又は／及び焼却炉で発生した飛灰をダイオキシン類を抽出するための有機溶媒と混合する混合攪拌手段と、土壌又は／及び飛灰とダイオキシン類を含有する有機溶媒とを分離する固液分離手段とを１段又は少なくとも２段直列又は並列に接続し、最終的に分離した土壌又は／及び飛灰を加熱又は／及び減圧することにより残留有機溶媒を除去して土壌又は／及び飛灰を乾燥させる乾燥手段を最終段の固液分離手段に接続してダイオキシン抽出系統を構成し、固液分離手段で分離したダイオキシン抽出後の有機溶媒を加熱又は／及び減圧により濃縮する濃縮手段と、ダイオキシン類が濃縮された有機溶媒を投入してダイオキシン分解用の極性有機溶媒中でアルカリと反応させダイオキシン類を分解する反応手段と、抽出に用いた有機溶媒と極性有機溶媒とを分離して抽出用有機溶媒を回収する分離・回収手段とからなるダイオキシン無害化系統を構成したことを特徴としている（図１参照）。
【００１１】
上記の本発明の装置において、直列に接続された複数段の混合攪拌手段における攪拌軸を同一軸とすることが好ましい（図２参照）。
また、これらの本発明の装置において、土壌中又は／及び飛灰中に残留した有機溶媒を加熱により除去する乾燥手段からの有機溶媒蒸気が、汚染土壌又は／及び飛灰に混合する抽出用有機溶媒の供給系統に設けられた熱交換手段に導入されるようにして、抽出用有機溶媒が加熱されるとともに、有機溶媒蒸気が冷却され凝縮するようにすることが好ましい（図１、図２参照）。
【００１２】
【発明の実施の形態】
以下、本発明の実施の形態について説明するが、本発明は下記の実施の形態に何ら限定されるものではなく、適宜変更して実施することができるものである。図１は、本発明の実施の第１形態による土壌・飛灰中のダイオキシン類の除去方法を実施する装置の概略構成を示している。図１に示すように、ダイオキシン類（ＤＸＮ）に汚染された土壌又は焼却炉で発生した飛灰は、破砕機１０で破砕された後、混合攪拌機１２に導入されてダイオキシン抽出用の有機溶媒と混合される。なお、汚染土壌又は焼却飛灰のいずれか一方を処理する場合だけでなく、これらの混合物を処理する場合もあり、また、土壌や飛灰以外の処理対象物を処理することも可能である。また、飛灰の場合は、破砕機１０での破砕工程を省略することができる。
【００１３】
混合攪拌機１２での混合攪拌により、土壌又は飛灰に含まれるダイオキシン類が有機溶媒に抽出され、ダイオキシン類を含有する有機溶媒と土壌又は飛灰との混合物であるスラリーが得られる。ダイオキシン類を抽出する有機溶媒としては、ダイオキシン類を抽出し易く、かつ沸点の低い溶媒、例えば、ベンゼン、トルエン、キシレン、エチルベンゼン、プロピルベンゼン、シクロヘキサン、メチルシクロヘキサン、ヘキサン、ヘプタン、オクタン、モルホリン等が用いられる。これらの有機溶媒は、常温付近での抽出操作が可能であるが、加熱して抽出操作を行うことが望ましい。さらに望ましくは、溶剤の沸点以下で、かつ水の沸点以上の温度で抽出することが、抽出効率を上昇させる。
混合攪拌機１２からのスラリーは、遠心分離機１４に導入されて、土壌又は飛灰とダイオキシン類を高い濃度で含有する有機溶媒とに分離される。なお、本実施形態では、固液分離機の一例として遠心分離機を用いているが、加圧式、真空式、フィルタープレス、遠心分離、スクリュープレス、ロータリープレスなど他の分離機を用いることも勿論可能である。
【００１４】
遠心分離機１４で分離された土壌又は飛灰のケーキは、さらに混合攪拌機１６に導入されてダイオキシン抽出用の有機溶媒と混合される。混合攪拌機１６での混合攪拌により、土壌又は飛灰中に残留するダイオキシン類が有機溶媒に抽出され、ダイオキシン類を含有する有機溶媒と土壌又は飛灰との混合物であるスラリーが得られる。混合攪拌機１６からのスラリーは、遠心分離機１８に導入されて、土壌又は飛灰とダイオキシン類を低い濃度で含有する有機溶媒とに分離される。ダイオキシン類を低い濃度で含有する有機溶媒（低ＤＸＮ含有有機溶媒）は、混合攪拌機１２に供給される有機溶媒として使用することができる。
遠心分離機１８で分離された土壌又は飛灰のケーキは、乾燥機２０に導入されて、加熱により土壌又は飛灰中に残留した有機溶媒が除去される。なお、減圧により、又は加熱と減圧を併用して有機溶媒を除去することも可能である。上述したように、有機溶媒の沸点が低いので、少しの加熱や減圧により容易に土壌又は飛灰から有機溶媒を取り除くことができる。したがって、得られる処理済み土壌又は処理済み飛灰に、ダイオキシン類が含まれないことは勿論、有機溶媒は残留しておらず、二次公害の発生も抑えることが可能である。
【００１５】
乾燥機２０での加熱乾燥により発生した有機溶媒蒸気は、有機溶媒タンク２２から混合攪拌機１２、１６に供給される有機溶媒及び／又は上述した混合攪拌機１２に供給される低ＤＸＮ含有有機溶媒と熱交換される。具体的には、熱交換器２４で、有機溶媒蒸気の有する潜熱を用いて、有機溶媒タンク２２からの有機溶媒や低ＤＸＮ含有有機溶媒を加熱するとともに、有機溶媒蒸気を冷却し凝縮させる。凝縮した有機溶媒は、上記の加熱された有機溶媒に混合して使用される。このように、ダイオキシン抽出用の有機溶媒を加熱することにより、混合攪拌機１２、１６でのダイオキシン類の抽出率を上げることができる。
なお、本実施形態では、土壌又は飛灰を有機溶媒と混合する混合攪拌機と、土壌又は飛灰とダイオキシン類を含有する有機溶媒とを分離する遠心分離機とを、それぞれ直列に２段接続した構成としているが、１段又は直列に３段以上とすることも可能であり、また、並列に２段以上接続したり、直列と並列とを組み合わせて接続することも可能である。
【００１６】
つぎに、ダイオキシン類を抽出させた有機溶媒を無害化する処理について説明する。前述の遠心分離機１４で分離されたダイオキシン類を高い濃度で含有する有機溶媒（高ＤＸＮ含有有機溶媒）は、濃縮機２６に導入されて、加熱又は／及び減圧により濃縮される。なお、この時、濃縮有機溶媒中の水分については、特に除去する必要はない。加熱や減圧で蒸発した清浄な有機溶媒は、有機溶媒タンク２２に供給され、ダイオキシン抽出用の有機溶媒に利用される。一方、ダイオキシン類が濃縮された有機溶媒は、反応塔２８に投入され、１５０〜２２０℃程度の温度にてダイオキシン分解用の極性有機溶媒中でダイオキシン類がＮａＯＨ、ＫＯＨ等のアルカリと反応してダイオキシン類が分解される。このように、ダイオキシン類が濃縮された有機溶媒を処理すればよいので、反応塔を小型化することが可能である。なお、ダイオキシン分解用の極性有機溶媒としては、スルフォラン、ジメチルスルホキシド、１，３−ジメチル−２−イミダゾリジノン、テトラメチレンスルフォラン、ジメチルポリアルキレングリコール、テトラメチル尿素、Ｎ−メチルピロリドン等が用いられる。
【００１７】
反応塔２８からの抽出用有機溶媒蒸気及び極性有機溶媒蒸気の混合物は、冷却器３０に導入されて、その沸点の差異により、抽出用有機溶媒と極性有機溶媒とが分離される。極性有機溶媒は再び反応塔２８へと還流される。また、抽出用有機溶媒は有機溶媒タンク２２に回収され、ダイオキシン抽出用の有機溶媒として再利用される。さらに冷却器３０の先には活性炭吸着塔３２が設けてあり、冷却器３０で除去できなかった抽出用有機溶媒及び極性有機溶媒蒸気が外部に漏出することはない。なお、反応塔２８からは反応残渣として、ＮａＣｌ（アルカリがＮａＯＨの場合）、ＫＣｌ（アルカリがＫＯＨの場合）、ダイオキシン類の分解物等が少量排出される。
【００１８】
つぎに、本発明の実施の第１形態において、直列に接続された複数の混合攪拌機の攪拌軸に同一軸を用いてダイオキシン類の抽出装置を構成した場合を説明する。図２は、混合攪拌機の攪拌軸が同一軸である装置の一例を示している。図２に示すように、ダイオキシン抽出装置３４は、一例として、円筒形のケーシング３６内に１本の攪拌軸３８で回転駆動する多数の攪拌翼４０を備えた構成である。攪拌翼４０としては、例えば、ブレードやパドルのような形状のものが用いられる。４２はモータ等の駆動源である。
汚染土壌又は焼却飛灰は、ダイオキシン抽出用の有機溶媒とともにケーシング３６内の混合攪拌部４４に導入され、ここで必要に応じヒータ６４で加熱しながら有機溶媒と混合されて土壌又は飛灰に含まれるダイオキシン類が抽出される。なお、図２では破砕機の図示を省略している。
【００１９】
混合攪拌部４４での混合攪拌により、ダイオキシン類を含有する有機溶媒と土壌又は飛灰との混合物であるスラリーが得られる。このスラリーは混合攪拌部４４から排出されて固液分離機４６に導入され、土壌又は飛灰のケーキとダイオキシン類を高い濃度で含有する有機溶媒（高ＤＸＮ含有有機溶媒）とに分離され、高ＤＸＮ含有有機溶媒は、図１に示すようなダイオキシン類の無害化経路で処理される。
土壌又は飛灰のケーキは、ダイオキシン抽出用の有機溶媒とともにケーシング３６内の混合攪拌部４８に導入され、ここで必要に応じヒータ６６で加熱しながら有機溶媒と混合されて土壌又は飛灰中に残留するダイオキシン類が抽出される。なお、混合攪拌部４４と混合攪拌部４８とは、攪拌軸３８が貫通するように構成された仕切部材５０で仕切られている。
混合攪拌部４８での混合攪拌により、ダイオキシン類を含有する有機溶媒と土壌又は飛灰との混合物であるスラリーが得られる。このスラリーは混合攪拌部４８から排出されて固液分離機５２に導入され、土壌又は飛灰のケーキとダイオキシン類を低い濃度で含有する有機溶媒（低ＤＸＮ含有有機溶媒）とに分離され、低ＤＸＮ含有有機溶媒は混合攪拌部４４等に供給される有機溶媒として使用される。
【００２０】
土壌又は飛灰のケーキは、ケーシング３６内の乾燥部５４に導入され、ここでヒータ５６により加熱されて土壌又は飛灰中に残留した有機溶媒が除去される。乾燥部５４から排出される処理済み土壌又は処理済み飛灰には、ダイオキシン類は含まれておらず、有機溶媒も残留していない。なお、混合攪拌部４８と乾燥部５４とは、攪拌軸３８が貫通するように構成された仕切部材５８で仕切られている。
乾燥部５４での加熱乾燥により発生した有機溶媒蒸気は、有機溶媒タンク６０から混合攪拌部４４、４８に供給される有機溶媒及び／又は上述した混合攪拌部４４に供給される低ＤＸＮ含有有機溶媒と熱交換される。具体的には、熱交換器６２で、有機溶媒蒸気の有する潜熱を用いて、有機溶媒タンク６０からの有機溶媒や低ＤＸＮ含有有機溶媒を加熱するとともに、有機溶媒蒸気を冷却し凝縮させる。凝縮した有機溶媒は、上記の加熱された有機溶媒に混合して使用される。
なお、図２では、混合攪拌部を２段としているが、３段以上とすることも可能である。このように、攪拌軸を同一軸とすることにより、装置のコンパクト化を図ることができる。
他の構成及び作用は、図１の場合と同様である。
【００２１】
【実施例】
つぎに、本発明の実施例について説明する。
実施例１
ダイオキシン類を含んだ土壌（ダイオキシン類濃度：４２０ｐｇ−ＴＥＱ／ｇ、乾燥状態７０ｇ）を５００ｍｌのセパラブルフラスコに仕込み、これに有機溶媒を加え、攪拌しながら土壌中のダイオキシン類の抽出を実施した。一定時間経過後、グラスフィルターを用い固液分離を行い、ろ液を得た。このろ液中のダイオキシン類の濃度を分析し、ダイオキシン類の抽出された量を求めた。
抽出の際に用いた溶媒の種類、量、土壌の乾燥重量、土壌に含まれる水分の量、抽出時の温度及び抽出時間を表１に示す。また、表１にその試験結果も併せて記す。なお、表１の試験結果において、ダイオキシン類の濃度は毒性等量で示した。また、抽出率は下記の数１で示される式で求めた。
【００２２】
【数１】
0003594869.tif 000002
【００２３】
実施例２〜６
表１に示す条件で、実施例１と同様の試験を実施した。
これらの試験結果より、モルホリンやトルエンを用いることにより、土壌からダイオキシン類が抽出可能であることがわかる。また、加熱することにより、より多くのダイオキシン類を抽出することが可能である。
【００２４】
【表１】
0003594869.tif 000003
【００２５】
実施例７
ダイオキシン類を含んだ土壌（乾燥状態で７００ｇ）を３リットルのフラスコに仕込み、これにモルホリン３５００ｍｌを加え、８時間攪拌を行った後、固液分離してダイオキシン類含有モルホリン溶液を調製した。このモルホリン溶液（ダイオキシン類濃度：１１ｐｇ−ＴＥＱ／ｇ）２８８０ｇをロータリーエバポレータを用いて濃縮した結果、濃縮モルホリン溶液３１．８６ｇを得た。これを９等分して、その一つを１，３−ジメチル−２−イミダゾリジノン（以下、ＤＭＩ）２００ｍｌとよくすり潰した水酸化ナトリウム１０．５ｇとともに、３００ｍｌのセパラブルフラスコに加え、分解温度１００℃、分解時間１時間で攪拌しながら保持した。反応操作後のＤＭＩ溶液中のダイオキシン類濃度を分析した。その分析結果を表２に示す。
【００２６】
実施例８〜１５
分解温度及び分解時間を表２に示す通りとし、それ以外の条件は実施例７と同様にして分解操作を実施した。分解操作後のＤＭＩ溶液中のダイオキシン類濃度を分析した。その分析結果を表２に示す。これらの結果より、２００℃以上においては１時間で検出限界以下までダイオキシン類を分解することが可能であり、１５０℃でも時間をかけることにより分解が可能であった。なお、表２の試験結果において、（０）は検出限界以下であることを示している。
【００２７】
【表２】
0003594869.tif 000004
【００２８】
【発明の効果】
本発明は上記のように構成されているので、つぎのような効果を奏する。
（１）  汚染土壌や焼却飛灰にダイオキシン抽出用の有機溶媒を混合してダイオキシン類を抽出し、このダイオキシン類を含んだ有機溶媒を濃縮して極性有機溶媒とアルカリを含む反応容器に投入しダイオキシン類を分解するので、土壌や飛灰を直接極性有機溶媒に投入する場合と比較して、加熱などのランニングコストを大幅に抑えるとともに、処理後の土壌又は飛灰への反応残渣や未反応アルカリ等の混入を防ぐことができる。したがって、処理後の土壌又は飛灰を水洗する必要がなく、洗浄水の処理のための設備等が不要になる。
（２）  ダイオキシン類を抽出し易く、かつ、沸点の低い有機溶媒を用いることにより、ダイオキシン類の抽出が低い温度で容易に行えるので、処理時間が短くなり、熱的にも有利である。また、有機溶媒の沸点が低いので、少しの加熱や減圧により容易に土壌や飛灰から取り除くことができ、二次公害の発生も抑えることができる。
（３）  抽出後の有機溶媒は加熱や減圧によりダイオキシン類の濃縮が可能であり、反応容器（反応塔）を小さくすることができる。
（４）  直列に接続された複数段の混合攪拌装置における攪拌軸を同一軸とする場合は、装置のコンパクト化が図れる。
（５）  土壌や飛灰を乾燥する際に発生する有機溶媒蒸気の有する潜熱を用いて、汚染土壌や飛灰に混合する抽出用有機溶媒を加熱する場合は、有機溶媒によるダイオキシン類の抽出率を上げることができる。
【図面の簡単な説明】
【図１】本発明の実施の第１形態による土壌・飛灰中のダイオキシン類の除去方法を実施する装置を示す系統的概略構成図である。
【図２】本発明の実施の第１形態におけるダイオキシン抽出系統において、混合攪拌機の攪拌軸が同一軸である装置の一例を示す概略構成正面断面図である。
【符号の説明】
１０  破砕機
１２、１６  混合攪拌機
１４、１８  遠心分離機
２０  乾燥機
２２、６０  有機溶媒タンク
２４、６２  熱交換器
２６  濃縮機
２８  反応塔
３０  冷却器
３２  活性炭吸着塔
３４  ダイオキシン抽出装置
３６  ケーシング
３８  攪拌軸
４０  攪拌翼
４２  駆動源
４４、４８  混合攪拌部
４６、５２  固液分離機
５０、５８  仕切部材
５４  乾燥部
５６、６４、６６  ヒータ
【図１】
0003594869.tif 000005
【図２】
0003594869.tif 000006